(57)【要約】【課題】本発明は、ダンパーとキャビネットとの結合構造を改善し、過度振動時及び正常脱水時発生するタブの振動によるキャビネットの振動を最小化したドラム洗濯機を提供する。【解決手段】本発明は、キャビネット１と、前記キャビネット１内に回転自在に取り付けられたドラム３と、前記ドラム３の外部を包むように取り付けられたタブ２と、前記キャビネット１と前記タブ２との間に取り付けられて前記タブ２の振動を減衰させるダンパー８と、前記ダンパー８の一端部とキャビネット１とを連結し、前記タブ２の振動が前記ダンパー８を介して伝えられる時、弾性変形しながら振動を伴う弾性部材１０２と、を含めてなることを特徴とする。【選択図】　　　図１
2004073823.tif 000002
【特許請求の範囲】
【請求項１】
キャビネットと、
前記キャビネット内に回転自在に取り付けられたドラムと、
前記ドラムの外部を包むように取り付けられたタブと、
前記キャビネットと前記タブとの間に取り付けられて前記タブの振動を減衰させるダンパーと、
前記ダンパーの一端部とキャビネットとを連結し、前記タブの振動が前記ダンパーを介して伝えられる時、弾性変形し振動する弾性部材と
を含めてなることを特徴とするドラム洗濯機。
【請求項２】
前記弾性部材の上下側の振動範囲を制限する制限手段と
を更に含めてなることを特徴とする請求項１に記載のドラム洗濯機。
【請求項３】
前記弾性部材は板状からなることを特徴とする請求項２に記載のドラム洗濯機。
【請求項４】
前記弾性部材の中央上面にはブラケットが形成され、前記ブラケットに前記ダンパーの一端部が固定されていることを特徴とする請求項３に記載のドラム洗濯機。
【請求項５】
前記キャビネット内側に溝が形成され、前記弾性部材はその角部が前記溝の外側部に備えられた状態で振動するように取り付けられていることを特徴とする請求項４に記載のドラム洗濯機。
【請求項６】
前記キャビネットに複数の突出部が形成され、前記弾性部材はその角部が前記突出部の上側に備えられた状態で振動するように取り付けられていることを特徴とする請求項４に記載のドラム洗濯機。
【請求項７】
前記弾性部材の角部を前記キャビネット上に支えさせるための固定部材を更に含んでいることを特徴とする請求項５に記載のドラム洗濯機。
【請求項８】
前記弾性部材の角部を前記突出部上に支えさせるための固定部材を更に含んでいることを特徴とする請求項６に記載のドラム洗濯機。
【請求項９】
前記制限手段は、
前記各固定部材の上端部から内側に向かい合うように延長した延長部と、前記各延長部の下側に取り付けられる上部リミッタと、
前記溝の底面に取り付けられる下部リミッタと
を含めてなることを特徴とする請求項７又は８に記載のドラム洗濯機。
【請求項１０】
前記上部リミッタと、下部リミッタとの高さは、
前記ドラムの定格回転数において前記弾性部材の最大の振幅より大きく、前記ドラムの過渡振動時、前記弾性部材の最小の振幅より小さいことを特徴とする請求項９に記載のドラム洗濯機。
【発明の詳細な説明】
【０００１】
【発明の属する技術分野】
本発明は、ドラム洗濯機に関するものである。
【０００２】
【従来の技術】
一般に、洗濯機は洗剤と水の作用を用いて衣類に付いている汚染を落とすように洗濯と濯ぎ及び脱水の過程によりおこなわれ、その種類は大きくパルセータ式と、攪拌式及びドラム式の洗濯機に分けられる。
【０００３】
このうち、ドラム式洗濯機は多数の突出部が形成されているドラムの内側に洗剤と洗濯水及び洗濯物を投入した状態で前記ドラムを水平軸に低速回転させて洗濯物が突出部によって持ち上げられた後、更に落ちることに基づいた衝撃及び摩擦力を用いて洗濯をおこなう。
【０００４】
このような方式で洗濯するドラム式洗濯機は洗濯物の損傷を殆ど発生させず、洗濯物同士の絡み現象が起こらず、少量の水だけでも洗濯できるという長所からその使用が日増に増加しつつある。
【０００５】
かかるドラム洗濯機の一般的な構造に対して図６を参照して簡単に説明する。図６に示すように、外部ケースを形成するキャビネット１の内側にタブ２が取り付けられ、タブ２の内側の中央にはドラム３が回転自在に取り付けられる。
【０００６】
又、タブ２の下部の一方にはモーター４が取り付けられ、モーター４にはモータープーリー４１が軸着される。ドラム３の後方にはドラム軸３２が取り付けられ、ドラム軸３２にはドラムプーリー３１が取り付けられる。このように取り付けられたドラムプーリー３１とモータープーリー４１は動力伝達要素のベルト５で連結して連動する。
又、キャビネット１の前方にはドア６が取り付けられ、ドア６とタブ２との間にはガスケット７が取り付けられる。
【０００７】
尚、キャビネット１の上部面の内側の両側部とタブ２の外周面の上部との間にはダンパー８が取り付けられて脱水時ドラム３の回転によって発生するタブ２の振動を吸収して減衰させる役割を果たしている。
【０００８】
このようなダンパー８は図７に示すように、下端部がキャビネット１の下部面を成すベース面１１の上に取り付けられたブラケット１２にボルト１３及びナット１４などの締結手段によって固定されるように備えられている。
【０００９】
尚、ドラム洗濯機は脱水のためドラム３を加速する時、ドラム３の内部の洗濯物の不均一な荷重分布によって発生する過渡振動が最も問題になる。
かかる過渡振動を減少させるためには、ダンパー８のダンピング力を大きく設計すべきであるが、ダンパーのダンピング力を大きくする場合、定格脱水回転数では却って振動が大きくなるという問題が発生する。
【００１０】
これとは反対に、ダンパーのダンピング力を小さく設計すると、定格脱水回転数における振動は小さくなる代わりに過渡振動が増加するという問題が発生する。
このような振動は大きい騒音を伴い、ドラム洗濯機を構成する各種構造物及び部品の早期故障を起こしたり、使用寿命を短縮させるという悪影響を及ぼす。
【００１１】
【発明が解決しようとする課題】
本発明は、上記従来技術の問題点を解決するためのもので、ダンパーとキャビネットとの結合構造を改善し、過渡振動時及び正常脱水時に発生するタブの振動によるキャビネットの振動を最小化したドラム洗濯機を提供することが目的である。
【００１２】
【課題を解決するための手段】
上記目的を達成するための本発明によると、キャビネットと、前記キャビネット内に回転自在に取り付けられたドラムと、前記ドラムの外部を包むように取り付けられたタブと、前記キャビネットと前記タブとの間に取り付けられて前記タブの振動を減衰させるダンパーと、前記ダンパーの一端部とキャビネットとを連結し、前記タブの振動が前記ダンパーを介して伝えられる時、弾性変形しながら振動を伴う弾性部材と、を含めてなることを特徴とする。
【００１３】
前記弾性部材の上下側の振動範囲を制限する制限手段とを更に含み、前記弾性部材は板状からなることが望ましく、前記弾性部材の中央上面にはブラケットが形成され、前記ブラケットに前記ダンパーの一端部が固定されていることが望ましい。
【００１４】
前記キャビネット内側に溝が形成され、前記弾性部材はその角部が前記溝の外側部に備えられた状態で振動するように取り付けられ、前記キャビネットに複数の突出部が形成され、前記弾性部材はその角部が前記突出部の上側に備えられた状態で振動するように取り付けられていることが望ましい。
【００１５】
前記弾性部材の角部を前記キャビネット上に支えさせるための固定部材を更に含んでおり、前記弾性部材の角部を前記突出部上に支えさせるための固定部材を更に含んでいることが望ましい。
【００１６】
前記制限手段は、前記各固定部材の上端部から内側に向かい合うように延長した延長部と、前記各延長部の下側に取り付けられる上部リミッタと、前記溝の底面に取り付けられる下部リミッタとを含めてなり、前記上部リミッタと、下部リミッタとの高さは、前記ドラムの定格回転数において前記弾性部材の最大の振幅より大きく、前記ドラムの過渡振動時、前記弾性部材の最小の振幅より小さいことが望ましい。
【００１７】
【発明の実施の形態】
以下、添付の図面を参照して本発明を更に詳細に説明する。
【００１８】
本発明によるドラム洗濯機は、キャビネット１と、ドラム３と、タブ２と、ダンパー８と、弾性部材１０２及び制限手段とからなっている。
ここで、キャビネット１はドラム洗濯機の外部ケースを形成し、ドラム３はキャビネット１の内側に回転自在に取り付けられる。
【００１９】
又、タブ２はドラム外部を包むように取り付けられ、ダンパー８はキャビネットとタブ２との間に取り付けてタブ２の振動を減衰させることになる。
また、弾性部材１０２はダンパーの一端部とキャビネットとを連結して、タブの振動がダンパーを介して伝えられる時、弾性変形し振動することで振動を減衰させる。かかる弾性部材１０２は鉄鋼或いはプラスチックからなる。
【００２０】
尚、前記制限手段は弾性部材１０２の振動範囲を制限するように取り付けられる。
このように構成した本発明は図１乃至図４に示すように、弾性部材１０２と前記制限手段、またダンパー及びキャビネットの結合関係に沿って多数の実施例で実現でき、その代表的な実施例を前記図面を参照して説明すると次のとおりである。
【００２１】
第１実施例
図１及び図２を参照すると、弾性部材１０２は板状からなり、弾性部材１０２の中央上面には二つのブラケット１０３が互いに対向して突出形成されている。また、二つのブラケット１０３の間にダンパーの一端部が挿入された後ボルト１３及びナット１４で固定される。
【００２２】
また、キャビネット１のベース面１１の内側に所定の深さで溝が凹んでおり、図１に示すように、溝１０１の外側部に弾性部材１０２の角部が備えられた状態で支えられる。
【００２３】
弾性部材１０２の各々の角を固定するためには固定部材１０４を用いるが、固定部材１０４の下部には弾性部材１０２の一方の角が挿入された状態で支えられる固定溝１０４ａが形成されている。このように形成されている固定部材１０４は弾性部在１０２の角を固定溝１０４ａに挿入して支えられるように取り付けられた後溶接によってキャビネットのベース面１１に固定したり、ボルトとナットによって固定したり、ネジなどの締結手段によって固定する。
【００２４】
尚、制限手段は延長部１０４ｂと、上部リミッタ１０５及び下部リミッタ１０６からなる。
ここで延長部１０４ｂは図１に示すように、各固定部材１０４の上端部で内側に向かい合うように固定部材１０４と一体に延長して形成されている。
又、上部リミッタ１０５は弾性部材１０２の上側振動範囲を制限できるように延長部１０４ｂの下側に取り付ける。
【００２５】
又、下部リミッタ１０６は弾性部材１０２の下側振動範囲を制限できるように図１に示すように、溝１０１の底面中央に取り付けたり、図２に示すように、溝１０１の底面両側に取り付けられる。
【００２６】
このように取り付けられる上部リミッタ１０５と下部リミッタ１０６は弾性部材１０２との接触時、その衝撃を緩和できるようにゴムのように柔らかく衝撃吸収性に優れる材質で形成するのが望ましい。
【００２７】
ここで上部リミッタ１０５と下部リミッタ１０６との間の高さは、ドラム３の定格回転数から発生する振動による弾性部材１０２の最大の振幅の大きさより大きく、ドラム３の過渡振動時の弾性部材１０２の最小の振幅のサイズよりは小さい。
【００２８】
第２実施例
図３及び図４を参照すると、弾性部材１０２は板状からなり、弾性部材１０２の中央上面には二つのブラケット１０３が互いに対向して突出形成されている。又、二つのブラケット１０３の間にダンパーの一端部が挿入された後ボルト及びナット１４で固定される。
【００２９】
又、キャビネットに複数の突出部が形成され、図３に示すように、弾性部材１０２はその角が突出部１０７の上側に備えられた状態で振動するように固設されている。
ここで、弾性部材１０２の角部を突出部１０７に固定するために固定部材１０４が用いられるが、固定部材の下部には弾性部材の一方の角が挿入された状態で支えられる固定溝１０４ａが形成されている。このように形成されている固定部材１０４は弾性部材１０２の角が固定溝１０４ａに挿入され支えられるように取り付けた後突出部１０７に溶接固定したり、ボルトとナットで固定したり、ネジなどの締結手段によって固定される。
【００３０】
尚、前記制限手段は延長部１０４ｂと、上部リミッタ１０５及び下部リミッタ１０６からなる。
ここで、延長部１０４ｂは図３に示すように、各固定部材１０４の上端部で内側に向かい合うように固定部材１０４と一体に延長して形成される。
又、上部リミッタ１０５は弾性部材１０２の上側の振動範囲を制限できるように延長部１０４ｂの下側に付着される。
【００３１】
又、下部リミッタ１０６は弾性部材１０２の下側の振動範囲を制限できるように図３に示すように、二つの突出部１０７の間の中央に位置するキャビネット１上に付着されたり、図４に示すように、突出部１０７の間のキャビネット１上の両側に付着される。
【００３２】
ここで、上部リミッタ１０５と下部リミッタ１０６との間の高さは、ドラム３の定格回転数から発生する振動による弾性部材１０２の最大の振幅の大きさより大きく、ドラム３の過渡振動時の弾性部材１０２の最小の振幅の大きさよりは小さい。
【００３３】
尚、前記のように構成した本発明の第１実施例と第２実施例において振動が減衰される原理を図１乃至図５を参照して説明する。
洗濯及び脱水をおこなう過程においてドラム３の回転によってタブ２に上下方向に振動が発生すると、タブの下部に結合したダンパーに振動が伝えられて弾性部材１０２が上下に振動する。
【００３４】
ドラムの振動が小さい場合にはダンパーが作用せずタブがスプリング９によってのみ支えられ、この時振動伝達量が一番小さくなる。
この時はタブの弱い振動を伝えられた弾性部材が上部リミッタと下部リミッタとの間で振動しながらタブの振動をそれ自体が減衰させる。
【００３５】
しかしながら、ドラム３内部の洗濯物の荷重が不均一に分布されている場合、ドラムの回転初期に偏心荷重による過渡振動が発生することになる。
この時にはタブ２の振動による弾性部材１０２の振幅が増大してその振動振幅が上部リミッタ１０５と下部リミッタ１０６との間の高さより大きくなるので弾性部材１０２は振動時上部リミッタ１０５と下部リミッタ１０６に各々接触して支えられながら振幅が制限される。このように上部リミッタ１０５と下部リミッタ１０６によって弾性部材１０２の振幅が制限される時にはダンパー８が作用しながらタブ２の振動を減衰することになる。
【００３６】
しかしながら、ドラム内部の洗濯物の荷重が不均一に分布している場合にはドラムの回転初期に偏心荷重による過渡振動が発生することになる。
この時にはタブの振動による弾性部材の振幅が増大し、その振動振幅が上部リミッタ１０５と下部リミッタ１０６との間の高さより大きくなるので弾性部材１０２は振動時上部リミッタ１０５と下部リミッタ１０６に各々接触して支えられながら振幅が制限される。このように上部リミッタ１０５と下部リミッタ１０６によって弾性部材１０２の振幅が制限される時にはダンパーが作用しながらタブの振動を減衰する。
【００３７】
尚、脱水時ドラムが定格回転数に回転しながら、弾性部材１０２はドラム洗濯機の定格回転数でその最大振幅が上部リミッタ１０５と下部リミッタ１０６との間の高さより小さいように設計されているので弾性部材１０２は上部リミッタ１０５と下部リミッタ１０６に接触せずその間で振動し、ダンパーが作用することなくタブの振動をそれ自体が吸収する。
【００３８】
以上本発明の好適な一実施形態に対して説明したが、前記実施形態のものに
限定されるわけではなく、本発明の技術思想に基づいて種々の変形又は変更が可能である。
例えば、第１実施例と第２実施例とが共に適用されている変形実施例、即ち、キャビネットの底面に溝を形成すると共に、前記溝の両側部に多数の突出部が形成され、前記突出部に弾性部材の各角が固定状態で振動する形態でも実施することができる。
又、弾性部材は板状だけではなく例えば、振動方向が上下に制限された圧縮スプリング状に変形して実現できる。
【００３９】
【発明の効果】
以上説明したように、本発明によると、次のような効果がある。
タブの振動を減衰させるダンパーがキャビネットに直接固定されず、ダンパーの一端部とキャビネットとの間で振動するように取り付けられた弾性部材を介してキャビネットに固定される。従って、ダンパーの振動がキャビネットに直接伝えられず弾性部材の振動によって吸収され、過渡振動時には弾性部材の振動幅が上部リミッタと下部リミッタによって制限されるのでダンパーが十分に機能しながら過渡振動を減衰する。これによって本発明が適用されたドラム洗濯機は図５に示すように、偏荷重の分布による過渡振動区域では勿論、回転数が高い定格回転数でも更に向上した振動及び騒音特性を提供することができる。
従って、本発明は振動及び騒音を低減させると共にドラム洗濯機を構成する各種構造物及び部品の早期故障を防止でき、使用寿命を延長できる効果を奏する。
【図面の簡単な説明】
【図１】本発明の第１実施形態によるダンパーとキャビネットとの結合関係を示す概略断面図である。
【図２】本発明の第１実施形態によるダンパーとキャビネットとの結合関係を示す概略断面図である。
【図３】本発明の第２実施形態によるダンパーとキャビネットとの結合関係を示す概略断面図である。
【図４】本発明の第２実施形態によるダンパーとキャビネットとの結合関係を示す概略断面図である。
【図５】本発明によるドラム洗濯機の振動特性を示すグラフである。
【図６】一般的なドラム洗濯機の内部構造を示す概略断面図である。
【図７】図６におけるダンパーとキャビネットとの結合関係を示す概略断面図である。
【符号の説明】
１…キャビネット
２…タブ
３…ドラム
８…ダンパー
１１…ベース面
１０１…溝
１０２…弾性部材
１０３…ブラケット
１０４…固定部材
１０５…上部リミッタ
【図１】
2004073823.tif 000003
【図２】
2004073823.tif 000004
【図３】
2004073823.tif 000005
【図４】
2004073823.tif 000006
【図５】
2004073823.tif 000007
【図６】
2004073823.tif 000008
【図７】
2004073823.tif 000009